(57)【要約】【課題】粒状のみならず粉末状の農薬または有機肥料等をも継続的に散布できる散布器を提供する。【解決手段】粉粒状物を収納する収納部３とパイプ部５との中間に屈曲自在な屈曲部４が設けられ、パイプ部には、その基端５１の内側から屈曲部の中空内部に向かって突出する突出部材７が設けられている。突出部材は、１本の棒状部材を中央で湾曲して平行な２本の基部７１，７２が形成されるとともに、この２本の基部を含む平面に対して有角方向に先端部分７３，７４を折曲されており、パイプ部が先端部分を支持して、基部がパイプ部の軸線方向に平行な状態で配置されて屈曲部内部に突出する。【選択図】　図２
2004135559.tif 000002
【特許請求の範囲】
【請求項１】
粉粒状物を収納する収納部と、この収納部との間で屈曲自在な中空の屈曲部を介して連結されるパイプ部と、このパイプ部の先端に設けられたノズル部とからなる粉粒状物散布器において、上記パイプ部の基端内側から上記屈曲部の中空内部に向かって突出する突出部材を設けてなることを特徴とする粉粒状物散布器。
【請求項２】
粉粒状物を収納する収納部と、この収納部との間で中空の屈曲部を介して連結されるパイプ部と、このパイプ部の先端に設けられたノズル部とからなる粉粒状物散布器において、上記屈曲部とパイプ部とを連結する筒状の連結部と、この連結部の内側から上記屈曲部の中空内部に向かって突出する突出部材とを備えたことを特徴とする粉粒状物散布器。
【請求項３】
前記突出部材は、前記屈曲部の中空内部を通過して収納部に到達する突出部材である請求項１または２記載の粉粒状物散布器。
【請求項４】
前記突出部材は、１本の棒状部材を中央で湾曲して構成された略Ｕ字形の突出部材であり、該突出部材の両端が前記パイプ部の基端に支持されてなる請求項１ないし３記載の粉粒状物散布器。
【請求項５】
前記突出部材は、前記両端付近を折曲してなり、該折曲端の双方を前記パイプ部の径方向に向けるとともに、上記突出部材の本体部分を上記パイプ部の軸線方向に対してほぼ平行な状態に支持されてなる突出部材である請求項４記載の粉粒状物散布器。
【請求項６】
前記突出部材は、１本の棒状部材を中央で湾曲して平行な２本の基部が形成されるとともに、この２本の基部を含む平面に対して有角方向に該基部の先端を折曲してなる突出部材であり、上記両端が前記パイプ部の側面に支持されるとともに、上記基部が上記パイプ部の軸線方向に対してほぼ平行な状態で配置されてなる請求項４記載の粉粒状物散布。
【発明の詳細な説明】
【０００１】
【発明の属する技術分野】
本発明は、農薬や有機肥料等の粉粒状物を散布する背負い式の散布器に関するものであって、特に、散布すべき粉粒状物を円滑に供給する散布器に関するものである。
【０００２】
【従来の技術】
従来の背負い式粉粒状物散布器は、開口部を有する布製の袋体で構成される収納部と、この収納部の開口部周縁を固定する折り畳み式のフレームと、このフレームに懸架されたストラップと、上記収納部の底部に連通状態に取り付けられた放出管とで構成されたものであって、上記放出管は、ゴム製のジャバラを介して収納部の底に近い側面に取り付けられ、先端に着脱可能に散布ノズルが取り付けられているものであった（特許文献１参照）。
【０００３】
上記粉粒状物散布器を使用する場合は、農薬または有機肥料等を収納部に収納し、上記放出管の先端に設けた散布ノズルから上記農薬等を放出して散布するものであるが、散布ノズルから放出される農薬等を適宜個所に均等に散布するため、放出管を左右に振りながら農耕地を移動するものであった。この放出管を左右に振る際、当該放出管の角度を自在にすべくゴム製のジャバラ（屈曲自在に構成された屈曲部）が設けられているのであった。
【０００４】
しかし、収納部に収納した農薬等を円滑に散布するためには、収納部から放出管に継続的に農薬等を供給させなければならないのであるが、粉末状の農薬等を散布する場合、散布できる量が一定しなかった。これは、農耕地に散布すべき農薬または有機肥料等には、ペレット状に加工したもののほかに粉末状のものがあり、ペレット状の農薬等であれば、収納部の底部付近から順次放出管に流下するため、ほぼ同量の農薬等を継続的に供給することが可能となるものの、粉末状の農薬等にあっては流動性が低く、継続的な一定量を放出管へ供給できないうえ、一時的に大量の農薬等が放出管に流入する場合、放出管の内部で農薬等が詰まってしまうことがあった。そこで、放出管の一部に小孔を設けることにより、放出管内部における農薬等の停滞を防止する方法がとられていた（特許文献２参照）。
【０００５】
【特許文献１】特開平９−３２７２５８号公報
【特許文献２】特開平９−４７２０７号公報
【０００６】
【発明が解決しようとする課題】
しかしながら、粉末状の農薬等は、この放出管の内部のみならず、ジャバラ（屈曲自在に構成された屈曲部）の内部または当該ジャバラが接続されている収納部の底部に設けられる出口付近においても塊状を形成し、農薬等が停滞することとなり、当該農薬等の供給量が安定しないばかりでなく、散布すべき農薬等が散布ノズルまで供給されない事態が生じていた。
【０００７】
特に、近年では、有機農法による栽培が盛んになりつつあり、これらに使用する有機肥料は、ペレット状に加工したものは、未加工のものに比較すると高価なものであるため、未加工の粉末状有機肥料を使用する頻度が高くなってきている。また、土壌改良の必要性から中和剤として使用される苦土石灰と称されるマグネシウムおよびカルシウムが含有された混合物にあっては、非常に微細な粉末であるため、これを従来の散布器により散布することは事実上不可能な状況であった。
【０００８】
本発明は、上記諸点にかんがみてなされたものであって、その目的とするところは、粒状のみならず粉末状の農薬または有機肥料等をも継続的に散布できる散布器を提供することである。
【０００９】
【課題を解決するための手段】
そこで、本発明は、粉粒状物を収納する収納部と、この収納部との間で屈曲自在な中空の屈曲部を介して連結されるパイプ部と、このパイプ部の先端に設けられたノズル部とからなる粉粒状物散布器において、上記パイプ部の基端内側から上記屈曲部の中空内部に向かって突出する突出部材を設けてなることを特徴とする粉粒状物散布器を要旨としている。
【００１０】
上記のように構成することにより、パイプ部の基端に支持される突出部材が、パイプ部の軸線方向の向きに一致し、農薬または有機肥料等の散布に際して屈曲部の屈曲を利用してパイプ部を揺動させるとき、突出部材が屈曲部の内部に停滞する農薬等に流動性を与えることができる。
【００１１】
また、本発明は、粉粒状物を収納する収納部と、この収納部との間で中空の屈曲部を介して連結されるパイプ部と、このパイプ部の先端に設けられたノズル部とからなる粉粒状物散布器において、上記屈曲部とパイプ部とを連結する筒状の連結部と、この連結部の内側から上記屈曲部の中空内部に向かって突出する突出部材とを備えたことを特徴とする粉粒状物散布器をも要旨とする。
【００１２】
上記のように構成することにより、連結部を屈曲部とパイプ部との中間に配置することにより、突出部材を屈曲部の内部に配置させることができる。この場合、連結部は、屈曲部の屈曲によりパイプ部とともに揺動するため、この連結部に支持される突出部材は、パイプ部を揺動することによって屈曲部内部に停滞する農薬等の流下を促進させることができる。
【００１３】
上記の場合において、突出部材を、屈曲部の中空内部を通過して収納部に到達する突出部材とすることができる。これにより、屈曲部のみならず収納部の内部において停滞する農薬等に対しても流動性を与え、流下を促進することができる。
【００１４】
また、上記突出部材を、１本の棒状部材を中央で湾曲して構成された略Ｕ字形の突出部材とし、この突出部材の両端がパイプ部の基端に支持されるように構成することができる。これにより、突出部材の支持を強固にするとともに、突出部材に対して横向きに作用する力に耐え得る構成とすることができる。
【００１５】
この場合において、突出部の両端付近を折曲し、折曲端の双方をパイプ部の径方向に向けるとともに、突出部材の本体部分を上記パイプ部の軸線方向に対してほぼ平行な状態とすることが好ましい。これにより、折曲された両端付近が、突出部材の本体部分をパイプ部の内面から所定間隔を有する状態にすることができるとともに、屈曲部を直線状にした場合、当該突出部材の本体部分が当該屈曲部の中心線付近に配置されるため、屈曲部の屈曲状況に応じて突出部材を広範な範囲に存在させることができる。
【００１６】
また、上記突出部材は、１本の棒状部材を中央で湾曲して平行な２本の基部が形成されるとともに、この２本の基部を含む平面に対して有角方向に先端部分を折曲してなる突出部材とし、上記両端がパイプ部の側面に支持されるとともに、基部が上記パイプ部の軸線方向に対してほぼ平行な状態で配置することができる。これにより、２本の基部を含む平面に対して垂直な方向に外力が作用する場合であっても、当該外力が両端を軸とする回動方向へ作用しないため、両端の支持状態を強固にすることができる。
【００１７】
【発明の実施の形態】
以下、本発明の実施の形態を図面に基づいて説明する。本実施形態は、図１に示す背負い式粉粒状物散布器１に関するものであって、この散布器１は、フレーム２に袋状の収納部３が設けられており、この収納部３の上部に設けられる開口部がフレーム２に固定され両者が一体的に構成されている。当該収納部３の底部には、屈曲部４を介して円筒状のパイプ部５が装着されており、また、上記フレーム２には、２本のストラップ６が設けられている。このストラップを両肩に掛けることによってフレーム２と一体的な収納部２を背負うことができるものである。上記の屈曲部４は、ゴム製で構成されて屈曲が自在となっており、収納部３を背負いながらパイプ部５の先端を散布すべき個所へ自由に向けることができるものである。
【００１８】
ここで、本実施形態は、図２（ａ）に示すように、パイプ部５の基端５１には突出部材７が設けられており、この突出部材７は、パイプ部５の基端５１から屈曲部４の内部に向かって突出するものである。また、突出部材７は、図２（ｂ）に示すように、１本の棒状部材を中央で湾曲して構成されており、２本の平行な基部７１，７２を有する略Ｕ字形を形成するとともに、両端部分７３，７４がパイプ部５に支持されるようになっている。この両端部分（基部７１，７２の先端部分）７３，７４は、各基部７１，７２の軸線に対してそれぞれが直角に折曲されており、先端部分７３，７４がパイプ部５の周方向に向けて支持されることにより、各基部７１，７２の軸線方向は、パイプ部５の軸線方向に一致するように配置されるのである。
【００１９】
パイプ部５の円筒壁面には、周方向に貫通する貫通孔５２，５３が設けられており、この貫通孔５２，５２に基部７１，７２の先端部分７３，７４を挿通することにより、上記のように基部７１，７２の軸線方向をパイプ部５の軸線方向に一致させることができるようになっている。また、上記基部７１，７２の先端部分７３，７４には、雄ネジ７５，７６が刻設されており、パイプ部５の内側と外側の両方からナット７７〜８２を螺合させることができるものである。内側に螺合されるナット７７，７８の位置により、パイプ部５の内部表面から基部７１，７２までの間隔が調整され、外側のナット７９〜８２の螺合により、上記内側のナット７７，７８との間でパイプ部５の側壁を挟持し、これにより突出部材７が支持されるのである。
【００２０】
上記のような構成とすることによって、図３（ａ）に示すように、パイプ部５から突出する突出部材７は、屈曲部４の中空内部の中心線付近に配置されることとなるのである。そして、農薬等を散布するためにパイプ部５を揺動するとき、屈曲部４は、収納部３とパイプ部５との間において、当該パイプ部５の揺動する角度に応じて適宜屈曲することとなり、一方、突出部材７は、パイプ部５の基端５１において固定的に支持され、パイプ部５の揺動に応じて角度を変更するものである。従って、上記パイプ部５の揺動の際、図３（ｂ）に示すように、屈曲部４の内部との相対的な関係において、突出部材７が左右方向へ揺動することとなり、屈曲部４の内部に粉末状の農薬等が塊体を形成する場合、これを粉砕することができるのである。このように、屈曲部４の内部において粉末状の農薬等が停滞する原因となる塊体を粉砕することにより、上記農薬等の流動性を向上させることとなり、パイプ部５に農薬等を継続的に供給することができ、しかも、流動性の向上した農薬等は、パイプ部５の内部においても停滞することなく先端まで供給することができるのである。
【００２１】
次に、突出部７の両端部分（基部の先端部分）７３，７４について詳述する。上述のとおり、突出部７の両端部分７３，７４は、パイプ部５の壁面との装着のために、基部７１，７２に対して直角方向に折曲されているが、このとき、折曲される先端部分７３，７４は、図４（ａ）に示すように、突出部材７の基部７１，７２を含む仮想平面Ｘと同一平面上において構成することができる。このように折曲する場合、両端部分７３，７４は、パイプ部５の壁面に対して垂直な状態で支持されるため、上記平面Ｘを円筒状のパイプ部５の直径方向に一致させ、その直径方向の両側に位置する壁面に当該両端部分７３，７４が固着されるものである。従って、突出部７の基部７１，７２の軸線方向は、上記両端部分７３，７４を中心とする回動により調整することが可能である。そして、この方向をパイプ部５の軸線方向に一致させることにより、突出部７を上記パイプ部５の中心線付近に配置することができるのである。
【００２２】
また、突出部７の両端部分７３，７４は、図４（ｂ）に示すように、上記平面Ｘに対して角度α，βを有する状態に折曲することができる。この場合、先端部分７３，７４は、上記平面Ｘに対しては所定の角度α，βを有しているが、各基部７１，７２の軸線に対しては直角に折曲されるものである。従って、先端部分７３，７４をパイプ部５の軸線に対して垂直に固着することによって、基部７１，７２の軸線方向は一定し、かつ、その方向はパイプ部５の軸線方向に一致するのである。また、上記平面Ｘに対して垂直な方向に力が作用する場合、先端部分７３，７４が基部７１，７２を支えることとなり、パイプ部５の揺動により、屈曲部４の内部における突出部７の相対的な揺動方向がいずれの方向であっても、当該突出部材７の支持を強固にすることができるのである。
【００２３】
次に、他の実施形態について説明する。本実施形態では、図５に示すように、屈曲部４とパイプ部５との中間に配置できる筒状の連結部９が設けられており、この連結部９に突出部材７が設けられているのである。この連結部９は、その一端９１の外径が屈曲部４の端部４１の内部に挿入できる大きさであり、他端９２の内径がパイプ部５の挿入を許容できる大きさとなっている。突出部材７は、連結部９の本体部分に支持されるとともに、そのほぼ全体が、外方に突出しているのである。
【００２４】
従って、上記連結部９の装着は、突出部材７を屈曲部４の中空内部に挿通させつつ、一端９１を屈曲部４の端部４１に挿入し、また、パイプ部５の装着は、その基端５１を連結部９の他端９２に挿入するのである。本実施形態によれば、パイプ部５に貫通孔５２，５３（図２）を設けることなく、屈曲部４の中空内部に突出部材７を突出させることができ、また、突出部材７の保守、例えば湾曲した場合または長さを変更する場合の交換を容易に行うことができるものである。
【００２５】
本発明の実施形態は以上のとおりであるが、本発明の趣旨を逸脱しない範囲において種々の態様をとることができる。例えば、図６に示すように、突出部材７は、収納部３に到達する程度の長尺に構成することができる。この場合、収納部３と屈曲部４とが接続する付近で停滞する粉末状の農薬等の流下を促進することができるのである。
【００２６】
また、上記実施形態における各図には、屈曲部４が大きく湾曲したものが示されているが、収納部３が布製袋状の収納部である場合、屈曲部４が湾曲することに加えて、布製袋状の収納部のうち、底部放出口の向きがパイプ部５の向きに応じて変化することがあり、これにより、屈曲部４の屈曲が僅少となることがある。このような場合、突出部材７を収納部３に到達させることにより、パイプ部５を揺動するときの流動性向上の効果は、収納部３の放出口付近において発揮することとなる。
【００２７】
さらに、上記実施形態においては、パイプ部５の先端に設けられるノズルについて説明を割愛したが、このノズルは、交換可能な種々の形態が使用可能である。例えば、パイプ部５の先端をすべて開口してなる構成とすることも可能であり、パイプ部５の先端付近の壁面に複数の貫通孔を設け、この貫通孔から散布すべき農薬または有機肥料等を排出させる構成とすることも可能である。また、特殊な形状または機構を備えたノズルを装着することも可能である。これらの各種ノズルは、粒径の大きなペレット状に加工した農薬等を散布する場合と、粒径の小さな顆粒状に加工した場合とで、異なるものが使用されるのである。当然に、粉末状の農薬等を散布する場合は、目詰まりが発生しないノズルを選択すべきである。
【００２８】
【発明の効果】
以上のとおり、本発明によれば、粒状のみならず粉末状の農薬または有機肥料等を散布する場合であっても、収納部または屈曲部において停滞する上記農薬等の流動性を向上させることによって、パイプ部および先端ノズルへの供給を円滑にすることができるものである。また、パイプ部および先端ノズルへの供給が円滑になることによって、先端ノズルまでの範囲で農薬等が停滞することなく、継続的な散布を実現することができる。
【図面の簡単な説明】
【図１】背負い式粉粒状物散布器の説明図である。
【図２】本発明の実施形態の説明図である。
【図３】（ａ）は本実施形態の使用態様を示す説明図であり、（ｂ）はＩＩＩＢ−ＩＩＩＢ断面図である。
【図４】突出部材の支持状態を示す説明図である。
【図５】本発明にかかる他の実施形態を示す説明図である。
【図６】本発明にかかる実施形態の変更例を示す説明図である。
【符号の説明】
１　背負い式粉粒状物散布器
２　フレーム
３　収納部
４　屈曲部
５　パイプ部
６　ストラップ
７　突出部材
９　連結部
５１　基端
５２，５３　貫通孔
７１，７２　基部
７３，７４　先端部分
７５，７６　雄ネジ
７７，７８，７９，８０，８１，８２　ナット
９１　連結部一端
９２　連結部他端
【図１】
2004135559.tif 000003
【図２】
2004135559.tif 000004
【図３】
2004135559.tif 000005
【図４】
2004135559.tif 000006
【図５】
2004135559.tif 000007
【図６】
2004135559.tif 000008